(57)【要約】【課題】  ストッパーを出没させて障子を施錠する型式の補助施錠装置において、幼児等にいたずらされることがなく、また非常時等に室外側からも解錠できるようにした障子の補助施錠装置を提供する。【解決手段】  ケース（３）内にストッパー（４）を揺動可能にピン（６）で枢着する。ストッパー（４）と、ケース底板（９）間にスライダー（１６）を長手方向に移動可能に設ける。このスライダー（１６）の一端には、シリンダ錠（１７）が連結している。このシリンダ錠（１７）は、室内側キーにより操作される。上記スライダー（１６）は、シリンダ錠側スライド片（２１）とストッパー側スライド片（２２）で構成され、このシリンダ錠側スライド片（２１）とストッパー側スライド片（２２）は分離可能に連結されている。上記ストッパー側スライド片（２２）には、ストッパー（４）の係止端（５）がケースから突出しているとき、このストッパー（４）に係合する係止突起（２０）があり、かつ室外側キーを挿入できる操作孔（２５）がある。【選択図】      図１
2006077417.tif 000002
【特許請求の範囲】
【請求項１】
ケース内に出没可能にストッパーを設け、該ストッパーの係止端を障子に当接する位置に突出させて施錠するようにした障子の補助施錠装置において、上記ケース内に上記ストッパーの係止端が突出しているとき該ストッパーに係合するよう長手方向に移動可能にスライダーを設けると共に該スライダーの一端に室内側キーにより操作されるシリンダ錠を連結し、上記スライダーを上記シリンダ錠に連結するシリンダ錠側スライド片と該シリンダ錠側スライド片に分離可能に連結し上記ストッパーに係合可能なストッパー側スライド片で構成し、室外側から上記ストッパー側スライド片に係合して該ストッパー側スライド
片を長手方向へ移動させる室外側キーを具備することを特徴とする障子の補助施錠装置。
【請求項２】
上記ストッパーはケース内に揺動可能に枢着され、上記スライダーはストッパーとケース底板間に摺動可能に設けられている請求項１に記載の障子の補助施錠装置。
【請求項３】
上記ストッパーは係止端がケースに没入する方向にばねで付勢されている請求項１または２に記載の障子の補助施錠装置。
【請求項４】
上記ケース底板には、室外側キーを挿入する挿入溝が形成されている請求項２に記載の障子の補助施錠装置。
【請求項５】
上記ケース底板には、金属材料製の補助板が重ね合わされている請求項２ないし４のいずれかに記載の障子の補助施錠装置。
【請求項６】
上記ストッパー側スライド片は係止突起を有し、ストッパーの係止端側に形成した側縁の内方には該係止端がケース内に没入しているとき該係止突起が嵌入する凹部が形成され、かつ上記ストッパーの係止端が突出位置にあるとき上記係止突起が係合する係止面がストッパーの内面に形成されている請求項２に記載の障子の補助施錠装置。
【請求項７】
上記凹部と係止面は傾斜面を介して連続的に形成されている請求項６に記載の障子の補助施錠装置。
【請求項８】
上記シリンダ錠側スライド片と上記ストッパー側スライド片は、一方の部材に挿入間隙をあけて対向する一対の係止爪を形成し、他方の部材に上記挿入間隙に挿入される挿入ヘッドを形成し、該挿入間隙に挿入ヘッドを挿入したとき係合する係合部材を係止爪と挿入ヘッドに形成することにより分離可能に連結されている請求項１に記載の障子の補助施錠装置。
【発明の詳細な説明】
【技術分野】
【０００１】
本発明は、片引き障子や引違い障子に使用する補助施錠装置に関し、特に不用意に施錠されたり、非常時の場合にも解錠できるようにした障子の補助施錠装置に係るものである。
【背景技術】
【０００２】
引違い障子等は、通常クレセント錠等の錠装置により障子を連結する型式で施錠されるが、防犯性を高めるためや換気のために障子をわずかに開いたときにそれ以上障子を開くことができないよう障子の移動を阻止する補助施錠装置が設けられている。この補助施錠装置は、ケース内にシーソー式に揺動するようストッパーを設け、該ケースを一方の障子の障子枠や窓枠その他の適宜部位に取り付けてある。そして、障子を閉じたとき、上記ストッパーの係止端側をケースから突出させ、該係止端に開放側の障子が当接して開放を阻止できるように構成されている。
【０００３】
上記の如き補助施錠装置は、幼児等でも簡単に操作することができるため、母親がベランダへ出たときに室内側から不用意に操作されて母親が室内へ戻れなくなるというような事態を招くおそれがあった。そのような事態を生じないようストッパーをロックできるようにした補助錠が提案されている（例えば、特許文献１、２参照）。しかし、これらの補助錠は、いずれも室内側から操作しなければならないので、室内に操作の分かる人が居なければ、ストッパーのロックを解錠できず、また非常の場合に室外側から解錠することもできなかった。
【特許文献１】特開２００２−４６７０号公報（図１〜図４）
【特許文献２】特開２００２−４６７１号公報（図１〜図４）
【発明の開示】
【発明が解決しようとする課題】
【０００４】
本発明の解決課題は、上記のような障子の補助施錠装置において、室内側からストッパーをロックできると共に室内側及び室外側から該ストッパーのロックを外すことができるようにした障子の補助施錠装置を提供することである。
【課題を解決するための手段】
【０００５】
本発明によれば、ケース内に出没可能にストッパーを設け、該ストッパーの係止端を障子に当接する位置に突出させて施錠するようにした障子の補助施錠装置において、上記ケース内に上記ストッパーの係止端が突出しているとき該ストッパーに係合するよう長手方向に移動可能にスライダーを設けると共に該スライダーの一端に室内側キーにより操作されるシリンダ錠を連結し、上記スライダーを上記シリンダ錠に連結するシリンダ錠側スライド片と該シリンダ錠側スライド片に分離可能に連結し上記ストッパーに係合可能なストッパー側スライド片で構成し、室外側から上記ストッパー側スライド片に係合して該ストッパー側スライド片を長手方向へ移動させる室外側キーを具備することを特徴とする障子の補助施錠装置が提供され、上記課題が解決される。
【０００６】
また、本発明によれば、上記障子の補助施錠装置において、上記ストッパーは揺動可能でかつ係止端がケース内に没入する方向に付勢され、上記スライダーはケース底板とストッパー間に摺動可能に設けられ、上記ストッパー側スライド片は係止突起を有し、上記ストッパーには上記係止端がケース内に没入しているとき該係止突起が嵌入する凹部と上記係止端が突出位置にあるとき上記係止突起が係合する係止面が内面に形成され、上記凹部と係止面が傾斜面を介して連続的に形成された上記障子の補助施錠装置が提供される。
【０００７】
さらに、本発明によれば、上記障子の補助施錠装置において、上記スライダーを構成するシリンダ錠側スライド片と上記ストッパー側スライド片は、一方の部材に挿入間隙をあけて対向する一対の係止爪を形成し、他方の部材に上記挿入間隙に挿入される挿入ヘッドを形成し、該挿入間隙に挿入ヘッドを挿入したとき係合する係合部材を係止爪と挿入ヘッドに形成することにより分離可能に連結されている上記障子の補助施錠装置が提供される。
【発明の効果】
【０００８】
本発明は上記のように構成され、ストッパーの係止端が突出しているとき該ストッパーに係合するよう長手方向に移動可能にスライダーを設けると共に該スライダーの一端に室内側キーにより操作されるシリンダ錠を連結し、上記スライダーを上記シリンダ錠に連結するシリンダ錠側スライド片と該シリンダ錠側スライド片に分離可能に連結し上記ストッパーに係合可能なストッパー側スライド片で構成し、室外側から上記ストッパー側スライド片に係合して該ストッパー側スライド片を長手方向へ移動させる室外側キーを具備しているので、通常は室内側キーを用いてシリンダ錠を回動してスライダーを移動させ、ストッパーの係止端が突出しているとき該スライダーをストッパーに係合させることにより、上記ストッパーを施錠位置にロックすることができ、また、シリンダ錠を逆方向に回転して該スライダーを逆方向へ移動させればストッパーを解錠位置に復帰させることができる。したがって、室内側キーを用いなければストッパーを施錠位置や解錠位置に移動させることができず、幼児等が不用意にストッパーを操作できないようにすることができる。
【０００９】
また、上記ストッパーに係合するストッパー側スライド片は、室外側キーにより長手方向に移動させることができるので、ベランダ等室外に出ているときや非常時に上記ストッパーが施錠位置でロックされている場合には、上記室外側キーを上記ストッパー側スライド片に挿入してストッパーとの係合が外れる方向に該スライド片を引張ると、上記シリンダ錠側スライド片からストッパー側スライド片が分離して該ストッパー側スライド片のみが移動しストッパーのロックを解除することができ、ストッパーを解錠位置に移動して障子を開くことができる。その後は、室内側キーや室外側キーを適宜操作することによりシリンダ錠側スライド片とストッパー側スライド片を連結させ、最初の状態に復帰させることができる。
【発明を実施するための最良の形態】
【００１０】
図１〜図３は、本発明の一実施例を示し、障子の解放を阻止できる適宜の位置、例えば引違い障子（１）の下枠等の障子枠（２）に取り付けられるケース（３）内には、ストッパー（４）が出没可能に設けられている。図に示す実施例ではストッパー（４）の一端に形成した係止端（５）がケースから出没するよう揺動可能にピン（６）で枢着され、該係止端（５）側がケースに没入する方向に、好ましくはばね（７）で付勢されている。該ばね（７）は、ストッパー（４）の内面に形成した掛止片（８）とケース底板（９）間に設けられ、該ケース底板（９）の一部には好ましくは金属材料製の補強板（１０）が設けられている。なお、上記ばねに代えて適宜のばねを適宜部位に設けることができ、ばねを用いずに自重や磁力等により係止端側がケースに没入する方向にストッパーが回動するようにしてもよい。また、ストッパーを揺動させず、直線動させてケースから係止端が出没するように構成することもできる。
【００１１】
上記ストッパー（４）の係止端（５）は、図１（Ｃ）に示すように、他方の障子（１）が当接する位置に突出して障子を施錠することができるよう断面略箱形状の強度のある形状に構成され、係止端側の側縁の内方に凹部（１１）を設け、内面には係止面（１２）が形成され、該凹部（１１）の一側には係止面（１２）と凹部（１１）を一連に連続するよう傾斜面（１３）が設けられている。該ストッパー（４）の他端には、該ストッパー（４）が最大限まで揺動した際に、ケースの内段部（１４）に当接して揺動範囲を規制するよう端板（１５）が設けられている。
【００１２】
上記ストッパー（４）とケース底板（９）の間には、長手方向に移動可能にスライダー（１６）を設けてあり、該スライダー（１６）の一端にはシリンダ錠（１７）の作用片（１８）が連結されている。該シリンダ錠（１７）は後記するように室内側キー（１９）（図４参照）により操作され、該室内側キー（１９）でシリンダ錠（１７）を回動させることにより、上記スライダー（１６）を長手方向に移動して上記ストッパーに係合させたり、ストッパーとスライダの係合を外したりすることができる。
【００１３】
上記スライダー（１６）は、施錠時に上記ストッパー（４）に係合するための係合部を有し、該係合部は上記ストッパーの係合部の構造に応じて種々に構成することができるが、図に示す実施例では上記ストッパー（４）の係止端（５）がケースから突出しているとき、該ストッパー（４）の係止面（１２）とケース底板（９）間に入り込んで該係止面（１２）に係合し、ストッパー（４）の係止端（５）が没入しないようにする係止突起（２０）を設けてある。
【００１４】
図２を参照し、上記スライダー（１６）は、上記シリンダ錠（１７）の作用片（１８）に連結するシリンダ錠側スライド片（２１）と、該シリンダ錠側スライド片（２１）に分離可能に連結し上記ストッパー（４）に係合可能なストッパー側スライド片（２２）で構成されている。該シリンダ錠側スライド片（２１）は、上記作用片（１８）が横方向に移動可能に嵌入する横長の受孔（２３）と、上記ばね（７）を挿通させる通孔（２４）を有し、上記ストッパー側スライド片（２２）は上記係止突起（２０）と操作孔（２５）を有する。
【００１５】
上記シリンダ錠側スライド片（２１）とストッパー側スライド片（２２）を分離可能に連結する構造としては、種々の構成を採用することができる。図に示す実施例では、図２に示すように、シリンダ錠側スライド片（２１）の一端に挿入間隙（２６）をあけて一対の係止爪（２７）、（２７）を形成し、ストッパー側スライド片（２２）には上記挿入間隙（２６）に挿入されるよう挿入端を幅狭に傾斜させた挿入ヘッド（２８）を形成し、上記挿入間隙（２６）に挿入ヘッド（２８）を挿入した際係合するよう係合部材を係止爪と挿入ヘッドに形成してある。該係合部材は、図に示す実施例では平面弧状の突起（２９）と該突起（２９）が入る平面弧状の係止溝（３０）で構成し、突起（２９）を係止爪（２７）の内面に設け、係止溝（３０）を挿入ヘッド（２８）の外側面に設けてあるが、突起（２９）を挿入ヘッド（２８）側に形成し、係止溝（３０）を係止爪（２７）側に設けてもよい。また、上記挿入ヘッド（２８）をシリンダ錠側スライド片（２１）に設け、上記係止爪（２７）をストッパー側スライド片（２２）に設けることもできる。
【００１６】
上記ケース底板（９）には、室外側キー（３１）（図５参照）を挿入して長手方向へ
移動できるよう長手方向に延びる挿入溝（３２）が形成され、上記ストッパー側スライド片（２２）の上記操作孔（２５）が該挿入溝（３２）に対応している。したがって室外側から上記ケース底板（９）の挿入溝（３２）を通して室外側キー（３１）の先端部（３３）を上記操作孔（２５）に係合し、上記挿入溝（３２）に沿って室外側キー（３１）を移動させれば、上記ストッパー側スライド片（２２）を長手方向に移動させることができる。なお、図５に示すように、上記室外側キー（３１）は、上記先端部（３３）が基板（３４）の一側に突設され、該基板（３４）の他側につまみ片（３５）が形成されているが、
種々の形状、構成に形成することができ、例えば、簡単なピン形状に形成してもよい。
【００１７】
而して、通常使用する際は、図４（Ａ）に示すようにシリンダ錠（１７）に室内側キー（１９）を挿入し、１８０度回転させると、作用片（１８）を介して上記スライダー（１６）は図において左行し、ストッパー（４）の凹部（１１）に嵌入していた係止突起（２０）は傾斜面（１３）に当って上記係止端（５）がケースから突出する方向にストッパー（４）を回動し、係止面（１２）に係合し、該ストッパー（４）を施錠状態にする。そして、図４（Ｃ）に示すように、上記室内側キー（１９）をシリンダ錠から抜き取れば、幼児等にいたずらされることもなく、施錠状態を維持することができる。
【００１８】
通常の場合、解錠するには、上記シリンダ錠（１７）に室内側キー（１９）を挿入し、上述と反対方向に１８０度回転させればよい。すなわち、図４（Ｃ）において、スライダー（１６）は右行するから、係止突起（２０）は係止面（１２）から外れ、ストッパー（４）は、ばね（７）により係止端（５）がケース内に没入する方向に回動し、解錠される。解錠状態において、上記係止突起（２０）はストッパー（４）の凹部（１１）に入り込み、ストッパーの回動を阻止することはない。このようにして、通常は室内側キー（１９）を使用することにより施錠、解錠することができる。
【００１９】
図４（Ｃ）のように施錠状態にあるとき、非常の場合等で室外側から解錠するには、図６に示すようにすればよい。すなわち、図５に示すごとき室外側キー（３１）を用意し、該室外側キー（３１）の先端部（３３）をケース底板（９）の挿入溝（３２）を通してストッパー側スライド片（２２）の操作孔（２５）に挿入し、図６（Ａ）において右行させる。この際、上記シリンダ錠側スライド片（２１）は、上記シリンダ錠（１７）の作用片（１８）に連結していて左行した状態に保持されているので、室外側キー（３１）によってストッパー側スライド片（２２）が右行方向に引張られても左行した位置にある。そのため分離可能な連結部でストッパー側スライド片（２２）が上記シリンダ錠側スライド片（２１）から分離され、図６（Ｂ）に示すように該ストッパー側スライド片（２２）のみが右行し、係止突起（２０）は係止面（１２）から外れ、ストッパー（４）の係止端（５）はケース内に没入し、解錠することができる。その後は、上記室外側キー（３１）を抜き取ればよい（図６（Ｃ））。
【００２０】
図６（Ｃ）に示すように室外側キーを用いて解錠したときは、図４に示す如き通常の使用態様で使用することはできないので、もとの状態に戻す必要がある。そのような最初の状態への復帰は、室外側キー、室内側キーのいずれによっても可能である。
【００２１】
図７は、室外側キーを使用する復帰方法を示し、同図（Ａ）に示す状態（図６（Ｃ）と同じ状態）で室外側キー（３１）の先端部（３３）を上記ストッパー側スライド片（２２）の操作孔（２５）に挿入し、同図（Ｂ）に示すように左行させると、ストッパー（４）は上記係止突起（２０）に押圧されて上記係止端（５）がケースから突出する方向に回動すると共にストッパー側スライド片（２２）の挿入ヘッド（２８）はシリンダ錠側スライド片（２１）の挿入間隙（２６）に入り込む。上記シリンダ錠側スライド片（２１）は、上記シリンダ錠（１７）の作用片（１８）により左行した位置に保持され移動しないから、上記挿入間隙（２６）を形成する係止爪（２７）、（２７）と挿入ヘッド（２８）に形成した係合部材、図に示す実施例では突起（２９）と係止溝（３０）が係合し、シリンダ錠側スライド片（２１）とストッパー側スライド片（２２）は連結される。この状態は、上記図４（Ｃ）と同じ状態であるから、以後は室内側キー（１９）を用いて図４（Ａ）に示す最初の状態に戻るようシリンダ錠（１７）を回動させればよい。
【００２２】
図８は、室内側キーを用いて復帰させる方法であり、同図（Ａ）に示す状態（図６（Ｃ）と同じ状態）で室内側キー（１９）をシリンダ錠（１７）に挿し込み、１８０度回転させると、作用片（１８）を介してシリンダ錠側スライド片（２１）は同図（Ｂ）において右行される。上記ストッパー側スライド片（２２）は、係止突起（２０）がストッパー（４）の凹部（１１）に嵌入された状態に保持され移動しないから、上記シリンダ錠側スライド片（２１）の挿入間隙（２６）はストッパー側スライド片（２２）の挿入ヘッド（２８）を受け入れ、突起（２９）と係止溝（３０）が係合した段階でシリンダ錠側スライド片（２１）とストッパー側スライド片（２２）は連結される。この状態は図４（Ａ）に示す最初の状態と同じであり、その後は室内側キー（１９）をシリンダ錠（１７）から抜き取ればよい。
【００２３】
なお、上記装置を構成する各部材は、ピン（６）、ばね（７）、シリンダ錠（１７）、キー（１９）、（３１）等を除き殆んどプラスチック材料で構成することができるが、ケース裏面からの破壊を防止するため、上記補強板（１０）を金属材料等の破損されにくい材料で構成すると一層安全である。
【図面の簡単な説明】
【００２４】
【図１】本発明の一実施例を示し、（Ａ）は平面図、（Ｂ）は底面図、（Ｃ）は断面図。
【図２】スライダーを示し、（Ａ）は連結状態、（Ｂ）は分離状態の各斜面図。
【図３】ケースを障子枠に取り付けた状態の側面図。
【図４】室内側キーを用いて操作する場合の説明図であって、（Ａ）はキーをシリンダ錠に挿入したとき、（Ｂ）は（Ａ）の状態から１８０度キーを回転したとき、（Ｃ）はキーを抜き取ったときの各説明図。
【図５】室外側キーの正面図。
【図６】室外側キーを用いて操作する場合の説明図であって、（Ａ）はキーをストッパー側スライド片に係合させたとき、（Ｂ）は（Ａ）の状態からキーを右行させたとき、（Ｃ）はキーを抜き取ったときの各説明図。
【図７】室外側キーを用いて復帰操作する場合の説明図であって、（Ａ）は復帰前の状態、（Ｂ）はキーをストッパー側スライド片に係合して左行させるとき、（Ｃ）はキーを左行させた後に抜き取ったときの各説明図。
【図８】室内側キーを用いて復帰操作する場合の説明図であって、（Ａ）は復帰前の状態、（Ｂ）はキーをシリンダ錠に挿し込んで回転させるとき、（Ｃ）はキーを１８０度回転させた後に抜き取ったときの各説明図。
【符号の説明】
【００２５】
３    ケース
４    ストッパー
５    係止端
９    ケース底板
１０    補強板
１１    凹部
１２    係止面
１３    傾斜面
１６    スライダー
１７    シリンダ錠
１９    室内側キー
２０    係止突起
２１    シリンダ錠側スライド片
２２    ストッパー側スライド片
２５    操作孔
２６    挿入間隙
２７    係止爪
２８    挿入ヘッド
３１    室外側キー
３３    先端部
【図１】
2006077417.tif 000003
【図２】
2006077417.tif 000004
【図３】
2006077417.tif 000005
【図４】
2006077417.tif 000006
【図５】
2006077417.tif 000007
【図６】
2006077417.tif 000008
【図７】
2006077417.tif 000009
【図８】
2006077417.tif 000010